(57)【特許請求の範囲】
【請求項１】
前面側に入り隅を有したＬ字型に床上に設置されるキッチンのフロアユニットであって、
Ｌ字型を構成する２辺が交差するコーナー領域において天板の下方空間を占めるコーナー用収納ユニットが前記２辺のうち一方側のコーナー隣接領域にまで延び出るよう配置され、該コーナー用収納ユニットは、床から前記天板までよりも低い高さ寸法を有するとともに前記コーナー領域から前記一方側のコーナー隣接領域に跨るよう床側に配置される下側収納箱体と、前記一方側のコーナー隣接領域において前記下側収納箱体と前記天板との間に配置される引出しと、前記コーナー領域において前記下側収納箱体と前記天板との間に配置されるスペーサ部材とから構成されていることを特徴とするキッチンフロアユニット。
【請求項２】
請求項１において、
前記下側収納箱体の内部空間は、前記スペーサ部材の下方に位置するコーナー空間と、前記引出しの下方に位置するコーナー隣接空間とが連通し、該コーナー隣接空間の前面部には扉が設置されているキッチンフロアユニット。
【発明の詳細な説明】
【技術分野】
【０００１】
本発明は、複数の収納庫を床にＬ字状に配列し、その上側に天板を設置してなるキッチンフロアユニットに関するものである。
【背景技術】
【０００２】
従来より、利用者が使用時に臨む側（以下、前面または前面側という）に入り隅を有したＬ字型に床上に設置されるキッチンのフロアユニットが知られている。このようなフロアユニットでは、カウンター天板の下方領域のうちコーナー領域はデッドスペースとなりがちであるが、天板を支持するため箱型のコーナー部材が配置されているのが一般的である。
【０００３】
そしてこのＬ字型のキッチンフロアユニットの中には、例えば7図に示すように、コーナー部材１０１がコーナー領域だけでなく、その横の一方の隣接領域にまで延び出るよう配置され、この延び出た部分（入り隅に隣接する部分）の前面に扉１０１ａを設けてこのコーナー部材１０１の内部を収納用に用いるようにしたものがある。なお、１０２はコーナー領域以外の箇所に設置されている収納ユニットである。
【０００４】
ところでキッチンのフロアユニットは、ユーザーの要望に応えて、カウンター下に設ける収納ユニットの扉や引出しといった構成を様々な形態に組合せることが行われている。例えば図７のようなフロアユニットにあっても、入り隅の横の前記扉１０１ａの高さを低くして、その上側でかつ天板１０３の下側に引出しを設けたいというユーザーからの要望もある。
【０００５】
この場合、従来は、引出しが納まるように、コーナー部材１０１における相当部位を部分的に階段状に切り欠き加工してからコーナー領域に設置し、引出しを組み込むようにしていたため、この加工工程に手間と時間を要し、製造コストが高くなる要因となっていた。
【０００６】
なお、Ｌ字型キッチンフロアユニットとして、Ｌ字のコーナー部およびその近傍の利便性を図って、天板の下方空間に出し入れ自在のキャスター付きワゴンを設けたものや、コーナー部より斜め方向に引き出せる引出しを設けたものが提案されている（特許文献１、２）が、これらは引出しを設けたいというユーザーの要望に応える構成とは異なる特殊な構造のものであり、前記問題を解決するものではなかった。
【特許文献１】特開２００５−２８７６９６号公報
【特許文献２】特開２００６−６１５４８号公報
【発明の開示】
【発明が解決しようとする課題】
【０００７】
本発明は、このような事情を考慮して提案されており、Ｌ字の入り隅に隣接する箇所に引出しを簡易に組み付けることができ、かつ低コストで製造できるキッチンフロアユニットを提供することを目的としている。
【課題を解決するための手段】
【０００８】
前記目的を達成するために、請求項１に記載のキッチンフロアユニットは、前面側に入り隅を有したＬ字型に床上に設置されるキッチンのフロアユニットであって、Ｌ字型を構成する２辺が交差するコーナー領域において天板の下方空間を占めるコーナー用収納ユニットが前記２辺のうち一方側のコーナー隣接領域にまで延び出るよう配置され、コーナー用収納ユニットは、床から天板までよりも低い高さ寸法を有するとともに前記コーナー領域から前記一方側のコーナー隣接領域に跨るよう床側に配置される下側収納箱体と、一方側のコーナー隣接領域において下側収納箱体と天板との間に配置される引出しと、コーナー領域において下側収納箱体と天板との間に配置されるスペーサ部材とから構成されていることを特徴とする。
【０００９】
請求項２に記載のキッチンフロアユニットは、下側収納箱体の内部空間は、スペーサ部材の下方に位置するコーナー空間と、引出しユニットの下方に位置するコーナー隣接空間とが連通し、コーナー隣接空間の前面部には扉が設置されている。
【発明の効果】
【００１０】
請求項１に記載のキッチンフロアユニットによれば、下側収納箱体の上側のコーナー隣接領域（入り隅に隣接する箇所）に引出しを設けるとともに、コーナー領域にはスペーサ部材を設け、それらの上側に天板を設置した構成としているため、簡易な構造で施工性がよく、入り隅の隣接箇所に引出しを設けたＬ字型キッチンフロアユニットを効率よく低コストで組み立てることができる。特に、スペーサ部材を引出しと同一高さ寸法の箱体の構造とすれば、コーナー用収納ユニットはきわめて簡易な構造となりえる。また、下側収納箱体は、従来のものより引出しの高さ分低くするだけでよく、また引出しは従来のものを使用できるので、各部材の製造手間もかからない。
【００１１】
請求項２に記載のキッチンフロアユニットによれば、下側収納箱体の内部空間であるコーナー空間とコーナー隣接空間とが連通し、またコーナー隣接空間の前面には開き扉を設けた構造であるため、コーナー空間がデッドスペースとはならず、頻繁に使用しない物などの保管場所として有効に使用できる。
【発明を実施するための最良の形態】
【００１２】
以下に、本発明の実施形態について、添付図面を参照しながら説明する。
【００１３】
図１は、本発明の一例であるキッチンフロアユニットの斜視図であり、図２は、同キッチンフロアユニットに使用される複数の収納ユニットの配置を示した平面図である。
【００１４】
同キッチンフロアユニット１０は、３つの収納ユニットＳ、１２、１２を、キッチン内の隣接する壁に沿わせるように平面視Ｌ字状に組み合わせて、床上に、台座２３を介して配設し、さらにそれらの収納ユニットＳ、１２、１２の上側に天板１３を設置して構成される。
【００１５】
キッチンのコーナー部に設置されるコーナー用収納ユニットＳは、床側に設置されるコーナー用の下側収納箱体１１（以下、コーナー用収納箱体１１）と、その上側に載置される引出しユニット１４と、その引出しユニット１４に隣接し、コーナー領域Ｓａに設置されるスペーサ部材１５とよりなる。一方、コーナー用収納ユニットＳに隣接する他の２つの収納ユニット１２、１２のそれぞれは、内部に略直方体の収納空間を有した収納箱体よりなり、ともにコーナー用収納ユニットＳと高さが同一とされる。
【００１６】
同キッチンフロアユニット１０は、コーナー用収納ユニットＳと、隣接する収納ユニット１２（図１、図２における右側の収納ユニット）との連設によって、Ｌ字の入り隅Ｃが形成されている。
【００１７】
すなわち、Ｌ字型を構成する２辺が交差するコーナー領域Ｓａにおいて、天板の下方空間を占めるコーナー用収納ユニットＳが、前記２辺のうち一方側のコーナー隣接領域にまで延び出るよう配置されている。さらに言い換えれば、コーナー用収納ユニットＳが配置される領域は、その前面部Ｓｃの一部が隣接する収納ユニット１２によって隠されたコーナー領域Ｓａと、入り隅Ｃに隣接し、前面部１１ｃが露出されたコーナー隣接領域Ｓｂとを含んだ構成とされる。このコーナー隣接領域Ｓｂの下部にはコーナー用収納箱体１１の開き扉１１ｄが取り付けられ、上部には引出しユニット１４が設けられている。
【００１８】
コーナー用収納箱体１１は、内部に収納空間を有し、開き扉１１ｄを取り付けた開口を通じて、収納空間へのキッチン用品の出し入れを可能としている。この収納空間は、内部に仕切りはなく、平面視でコーナー領域Ｓａに対応したコーナー空間１１ａと、コーナー隣接領域Ｓｂに対応したコーナー隣接空間１１ｂとが相互に水平方向に連通している。
【００１９】
天板１３には、上面にはシンク２１、調理器２２などを備えている。この天板１３は、複数の収納ユニットＳ、１２、１２のそれぞれに対応した寸法の複数の天板で構成されてもよいし、Ｌ字状の１枚の天板で構成されてもよい。
【００２０】
この天板１３は、Ｌ字状に配設した高さを同一とした複数の収納ユニットＳ、１２、１２の上側に設置される。図１に示すように、コーナー用収納箱体１１に隣接する他の２つの収納ユニット（収納箱体）１２、１２には直接、その上に天板１３が載せ置かれるが、コーナー用収納箱体１１には、引出しユニット１４、スペーサ部材１５を介して天板１３が載せ置かれる。
【００２１】
すなわち、コーナー用収納ユニットＳの下部を構成するコーナー用収納箱体１１は、他の収納箱体１２よりも引出しユニット１４の高さ分、低い寸法に形成されており、キッチンフロアユニット１０を組み立てた状態では、コーナー用収納箱体１１と天板１３との間には、引出しユニット１４とスペーサ部材１５とが、配列されて挟装されている。
【００２２】
なお、引出しユニットは２段以上のものを組み付けてもよく、その場合には、複数段の引出しユニットの全体高さに相当する高さの１または複数部材よりなるスペーサ部材が設置される。
【００２３】
図３、図４は、コーナー用収納ユニットＳの構造を示す図で、図３は分解斜視図、図４は組立て斜視図である。なお図中の矢印Ａは、図２に示した矢印Ａと同一の方向を示している。
【００２４】
コーナー用収納箱体１１は、背板１１ｅ、側板１１ｆ、前板１１ｇ、底板（不図示）および開き扉１１ｄよりなる、上方開口１１ｈを有した箱体構造とされ、台座２３の上に固着、配設される。なお上方開口１１ｈには、横桟１１ｉが取り付けられている。
【００２５】
このコーナー用収納箱体１１の内方空間は、上述したように、コーナー空間１１ａとコーナー隣接空間１１ｂとが連通するように形成され、コーナー隣接空間１１ｂの上側には引出しユニット１４が設置され、コーナー空間１１ａの上側には、引出しユニット１４と隣接するコーナー部スペースを埋めるように、引出しユニット１４と高さを同一にしたスペーサ部材１５が設置される。
【００２６】
また、引出しユニット１４は、外箱１４ａと、引出し箱１４ｂとを組み合わせてなり、コーナー用収納箱体１１の背板１１ｅの上縁、左側板１１ｆの上縁、および横桟１１ｉの上に載置でき、かつ、引出しユニット１４の上に天板１３がぐらつきなく載置できるような形状、寸法に形成されている。
【００２７】
具体的には、外箱１４ｂの奥行寸法は、コーナー用収納箱体１１の奥行寸法と同一とされ、高さ寸法は、引出しユニット１４をコーナー用収納箱体１１に積み重ねてコーナー用収納ユニットＳとして形成した状態で、他の収納箱体１２と同一の高さとなるような寸法となっている。つまり、コーナー用収納箱体１１は、組み付ける引出しユニット１４の高さ寸法に合わせて、その高さ分低く形成されている。
【００２８】
また、引出しユニット１４の幅寸法は、引出し箱１４ｂの出し入れを可能とするために、開き扉１１ｄの幅寸法より大きくならないような寸法とし、望ましくは開き扉１１ｄの幅寸法と略同一とする。
【００２９】
一方、スペーサ部材１５は、４片の枠板１５ａと、上下４片の横桟１５ｂとよりなる、上下開口を有した箱体構造とされ、奥行寸法は引出しユニット１４の奥行寸法と同一とされる。またスペーサ部材１５の幅寸法は、引出しユニット１４と隙間なく隣接させるために、コーナー用収納箱体１１の前板１１ｇの幅寸法と同一とすることが望ましい。
【００３０】
なお、複数の引出しユニットをコーナー用収納箱体１１の上側に積み重ねて設置する場合は、その複数段の引出しユニットの全体の高さに相当する１段のスペーサ部材を設けてもよいし、それぞれの引出しユニットに対応させた複数のスペーサ部材を積み重ねてもよい。
【００３１】
このように、コーナー用収納ユニットＳが、コーナー用収納箱体１１、引出しユニット１４、スペーサ部材１５の３種の部材で形成されているため、キッチン小物については引出しユニット１４の引出し箱１４ｂに収納でき、その他のキッチン用品についてはコーナー用収納箱体１１内の収納空間（コーナー空間１１ａとコーナー隣接空間１１ｂ）に収納することができる。
【００３２】
また、コーナー用収納箱体１１内では、コーナー空間１１ａとコーナー隣接空間１１ｂとが水平方向に連通しているため、コーナー空間１１ａがデッドスペースとはならず、頻繁に使用しない物などの保管場所として有効に使用できる。さらに、幅方向にも広がりのある収納スペースが確保できるため、鍋、フライパンなどの収納箇所として有効に利用できる。
【００３３】
また本例では、スペーサ部材１５が下方開口を有した構造であるため、コーナー空間１１ａの上方開口１１ｈを通じて、コーナー空間１１ａに連通する補助空間が形成される。そのため、コーナー用収納ユニットＳには、天板１３を天井とした上下間距離の長い収納空間を確保できる。
【００３４】
さらに、このコーナー用収納ユニットＳを構成する３種の部材を前記のような簡易な形状、構造としているため、コーナー部に引出しを設けたＬ字型キッチンフロアユニットを、現場で容易に組み立てることができる。また、コーナー用収納箱体１１は、従来のものより引出しの高さ分低くするだけでよく、また引出しユニットは従来のものを使用できるので、各部材の製造手間もかからない。
【００３５】
図５は、スペーサ部材の他例を示した斜視図で、図５（ａ）は平面視コ字形の枠体構造、（ｂ）は有底箱体構造のものを示している。
【００３６】
図５（ａ）のスペーサ部材１５は、３片の枠板１５ａと、横桟１５ｂとよりなる。また図５（ｂ）のスペーサ部材１５は、底板１５ｃを備えており、４片の枠板１５ａと底板１５ｃとより囲まれ、底板１５ｃによって下方のコーナー空間１１ａと分離された補助収納部１６を有している。
【００３７】
スペーサ部材１５は、これらの構造のものに限られず、種々のものが使用され得、たとえば対向する２辺に対応した２片からなる分離された部材でもよく、また隣接する２辺に対応した２片からなる連結した部材でもよく、すくなくともコーナー用収納箱体１１の上側に載置または固着できるような形状であり、かつ引出しユニット１４と同一の高さを有した部材であればよい。
【００３８】
図６は、本発明のキッチンフロアユニットの他例を示す斜視図である。
【００３９】
同キッチンフロアユニット１０Ａは、図５（ｂ）に示した補助収納部１６を有した有底箱体構造のスペーサ部材１５を使用したもので、その補助収納部１６には、天板１３の一部で構成された開閉蓋１７が設けられている。なお、他の構成部材については、図１のものと同様であるため、同一の符号を付して、その説明は省略する。
【００４０】
このように、スペーサ部材１５が有底構造で、開閉蓋１７を設けた構造であるため、スペーサ部材１５によって形成される空間を、上方より出し入れ可能なハッチ収納部として有効に利用できる。
【図面の簡単な説明】
【００４１】
【図１】本発明の一例であるキッチンフロアユニットの斜視図である。
【図２】同キッチンフロアユニットに使用される複数の収納ユニットの配置平面図である。
【図３】同キッチンフロアユニットに使用される、コーナー用の下側収納箱体と、引出しと、スペーサ部材とよりなるコーナー用収納ユニットの分解斜視図である。
【図４】コーナー用収納ユニットの組立て状態を示す斜視図である。
【図５】スペーサ部材の他例を示す斜視図で、（ａ）はコ字形の枠体構造、（ｂ）は補助収納部を有した有底箱体構造のものを示している。
【図６】本発明の他例であるキッチンフロアユニットの斜視図である。
【図７】従来のＬ字型キッチンフロアユニットの斜視図である。
【符号の説明】
【００４２】
１０      キッチンフロアユニット
Ｓａ      コーナー領域
Ｓｂ      コーナー隣接領域
Ｓ      コーナー用収納ユニット
１１      コーナー用の下側収納箱体
１１ａ      コーナー空間
１１ｂ      コーナー隣接空間
１１ｄ      開き扉
１２      他の収納ユニット（収納箱体）
１３      天板
１４      引出しユニット
１４ａ      外箱
１４ｂ      引出し箱
１５      スペーサ部材
１５ａ      枠板
１５ｃ      底板
１６      補助収容部
１７      開閉蓋
【図１】
0004858384.tif 000002
【図２】
0004858384.tif 000003
【図３】
0004858384.tif 000004
【図４】
0004858384.tif 000005
【図５】
0004858384.tif 000006
【図６】
0004858384.tif 000007
【図７】
0004858384.tif 000008